(57)【要約】【課題】  モニタの機種に応じて最適な映像データを出力して高品質の映像を表示できるようにする。【解決手段】  画像合成処理部２８に各種のモニタ１４を接続し、システム制御部２０が接続されたモニタ１４の特性を判別し、その判別された特性に基づいてモニタ１４へ出力する映像データの特性を変化させ、その映像データを信号処理してモニタ１４へ出力する。【選択図】        図１
2006079112.tif 000002
【特許請求の範囲】
【請求項１】
映像表示装置を接続する映像表示装置接続手段と、該手段によって接続された映像表示装置に映像データを信号処理して出力する映像信号出力手段を備えた映像処理装置において、
前記映像表示装置接続手段に接続された映像表示装置の特性を判別する映像表示装置特性判別手段と、該手段によって判別された特性に基づいて前記映像表示装置へ出力する映像データの特性を変化させる映像データ特性変化手段とを設けたことを特徴とする映像処理装置。
【請求項２】
前記映像表示装置特性判別手段が、前記映像表示装置の特性をその表示方式種別によって判別する手段である請求項１記載の映像処理装置。
【請求項３】
前記映像表示装置特性判別手段が、前記映像表示装置の特性をその映像データの伝送方式種別によって判別する手段である請求項１記載の映像処理装置。
【請求項４】
前記映像表示装置特性判別手段が、前記映像表示装置の特性をその表示サイズ種別によって判別する手段である請求項１記載の映像処理装置。
【請求項５】
複数種類の映像表示装置をそれぞれ接続する映像出力インタフェースと、該手段によって接続された各映像表示装置に映像データを信号処理して出力する映像信号出力手段を備えた映像処理装置において、
前記各映像出力インタフェースに対する映像表示装置の接続有無を検出する映像表示装置接続有無検出手段と、該手段によって接続が検出された映像出力インタフェースの中から予め設定された優先順位に基づいてインタフェース種別を決定するインタフェース種別決定手段と、該手段によって決定されたインタフェース種別に基づいて前記映像データの特性を変化させる映像データ特性変化手段とを設けたことを特徴とする映像処理装置。
【請求項６】
前記映像データ特性変化手段が、前記映像データの特性の水平解像度値を変化させる手段である請求項１乃至５のいずれか一項に記載の映像処理装置。
【請求項７】
前記映像データ特性変化手段が、前記映像データの特性の垂直解像度値を変化させる手段である請求項１乃至５のいずれか一項に記載の映像処理装置。
【請求項８】
前記映像データ特性変化手段が、前記映像データの特性の階調値を変化させる手段である請求項１乃至５のいずれか一項に記載の映像処理装置。
【請求項９】
前記映像データ特性変化手段が、前記映像データの特性の最大色レベル値を変化させる手段である請求項１乃至５のいずれか一項に記載の映像処理装置。
【請求項１０】
前記映像データ特性変化手段が、前記映像データの特性の文字情報のサイズ値を変化させる手段である請求項１乃至５のいずれか一項に記載の映像処理装置。
【請求項１１】
前記映像データ特性変化手段が、前記映像データの特性のフレームレート値を変化させる手段である請求項１乃至５のいずれか一項に記載の映像処理装置。
【発明の詳細な説明】
【技術分野】
【０００１】
この発明は、カラオケ装置，通信カラオケ装置，家庭用ゲーム機等の装置内部で映像データを加工及び生成する映像処理装置に関する。
【背景技術】
【０００２】
従来、カラオケ装置，通信カラオケ装置，家庭用ゲーム機等の装置内部で映像データを加工及び生成する映像処理装置は、テレビモニタ等の映像表示装置を別途設けて接続し、その映像表示装置へ映像データを出力している（例えば、特許文献１参照）。
【０００３】
通常、上記のような映像処理装置では、接続できる映像表示装置の機種を特定しておらず、様々な機種の映像表示装置に対応できるように複数種類の接続インタフェースを備えている。
【特許文献１】特開平６−２９２０８０号公報
【発明の開示】
【発明が解決しようとする課題】
【０００４】
しかしながら、上記のような映像処理装置では、映像表示装置との組合せや映像信号の伝送方式種別によっては、十分に性能を発揮できなかったり、映像表示装置に適合しない映像信号を送ることによる映像品質の劣化を招くという問題があった。
【０００５】
この発明は上記の点に鑑みてなされたものであり、映像表示装置の機種に応じて最適な映像データを出力して高品質の映像を表示できるようにすることを目的とする。
【課題を解決するための手段】
【０００６】
この発明は上記の目的を達成するため、映像表示装置を接続する映像表示装置接続手段と、その手段によって接続された映像表示装置に映像データを信号処理して出力する映像信号出力手段を備えた映像処理装置において、上記映像表示装置接続手段に接続された映像表示装置の特性を判別する映像表示装置特性判別手段と、その手段によって判別された特性に基づいて上記映像表示装置へ出力する映像データの特性を変化させる映像データ特性変化手段を設けたものである。
【０００７】
また、上記映像表示装置特性判別手段を、上記映像表示装置の特性をその表示方式種別によって判別する手段にするとよい。
さらに、上記映像表示装置特性判別手段を、上記映像表示装置の特性をその映像データの伝送方式種別によって判別する手段にするとよい。
さらにまた、上記映像表示装置特性判別手段を、上記映像表示装置の特性をその表示サイズ種別によって判別する手段にしてもよい。
【０００８】
また、複数種類の映像表示装置をそれぞれ接続する映像出力インタフェースと、その手段によって接続された各映像表示装置に映像データを信号処理して出力する映像信号出力手段を備えた映像処理装置において、上記各映像出力インタフェースに対する映像表示装置の接続有無を検出する映像表示装置接続有無検出手段と、その手段によって接続が検出された映像出力インタフェースの中から予め設定された優先順位に基づいてインタフェース種別を決定するインタフェース種別決定手段と、その手段によって決定されたインタフェース種別に基づいて上記映像データの特性を変化させる映像データ特性変化手段を設けるとよい。
【０００９】
さらに、上記映像データ特性変化手段を、上記映像データの特性の水平解像度値を変化させる手段にするとよい。
さらにまた、上記映像データ特性変化手段を、上記映像データの特性の垂直解像度値を変化させる手段にするとよい。
さらに、上記映像データ特性変化手段を、上記映像データの特性の階調値を変化させる手段にするとよい。
【００１０】
さらにまた、上記映像データ特性変化手段を、上記映像データの特性の最大色レベル値を変化させる手段にするとよい。
さらに、上記映像データ特性変化手段を、上記映像データの特性の文字情報のサイズ値を変化させる手段にするとよい。
そしてまた、上記映像データ特性変化手段を、上記映像データの特性のフレームレート値を変化させる手段にするとよい。
【発明の効果】
【００１１】
この発明による映像処理装置は、映像表示装置の機種に応じて最適な映像データを出力して高品質の映像を表示することができる。
【発明を実施するための最良の形態】
【００１２】
以下、この発明を実施するための最良の形態を図面に基づいて具体的に説明する。
図１は、この発明の一実施形態である映像処理装置を内蔵した通信カラオケ端末装置を用いた通信カラオケシステムの構成を示す図である。
【００１３】
複数の通信カラオケ端末装置１は、それぞれ歌唱用のカラオケ音楽を再生する装置であり、ＩＳＤＮ通信網２を介してデータ通信可能に接続されているセンタ装置３からカラオケ音楽のデータの配信を受ける。
【００１４】
センタ装置３は、ＣＰＵ，ＲＯＭ，及びＲＡＭ等からなるマイクロコンピュータによって実現され、多種類のカラオケデータを蓄積し、ＩＳＤＮ通信網２を介して各通信カラオケ端末装置１へカラオケデータや各種のサービスを配信したり、各通信カラオケ端末装置１の管理などを行なう。
【００１５】
通信カラオケ端末装置１は、本体装置であるコマンダ１０と、ユーザが離れた位置からリクエスト曲の指定などの各種操作を行ない、その操作情報を赤外線信号でコマンダ１０へ出力するリモコン１１と、カラオケ音楽に合わせて発せられた歌唱音声を入力し、それをコマンダ１０へ出力するマイク１２と、コマンダ１０から出力されたカラオケ音楽を出力するスピーカ１３と、コマンダ１０から出力されるカラオケ音楽に対応する背景映像や各種の作業画面やメッセージを表示する映像表示装置であるＣＲＴ，ＬＣＤ等のモニタ１４と、モニタ１４に表示する背景映像を再生してコマンダ１０へ出力するＶ−ＣＤ（ビデオＣＤ）ドライブ１５とからなる。
【００１６】
コマンダ１０は、マイクロコンピュータによって実現され、システム制御部２０，磁気ディスク装置２１，グラフィック生成部２２，採点処理部２３，ＭＩＤＩ再生部２４，ＩＳＤＮインタフェイス部２５，ユーザインタフェイス部２６，音声エフェクタ部２７，及び画像合成処理部２８からなる。
【００１７】
システム制御部２０は、ＣＰＵ，メモリ，及びタイマ等からなり、この通信カラオケ端末装置１の全体の制御を司り、モニタ１４の特性に応じてグラフィック生成部２２によって映像データの特性を変化させる処理等のこの発明に係る処理を行なう。
磁気ディスク装置２１は、各種の制御プログラム，カラオケデータ，システムパラメータ，カラオケデータ管理テーブル，及び画像内容参照テーブル等のデータを記憶する記憶装置である。
【００１８】
グラフィック生成部２２は、グラフィックコントローラやメモリ等からなり、カラオケデータの歌詞データ及び曲データ中の歌詞色替えデータに基づいて歌詞表示や歌詞の色替えのためにグラフィック画像を生成し、その画像信号（ＲＧＢ）を画像合成処理部２８へ出力する。システム制御部２０からの指示に基づいてモニタ１４の特性に応じた映像データに変化させる処理もおこなう。
【００１９】
採点処理部２３は、ＤＳＰを有し、ＭＩＤＩ再生部２４からの主旋律データと音声エフェクタ部２７からのマイク１２から入力された音声データとに基づいて歌唱力の採点処理を行なう。
ＭＩＤＩ再生部２４は、ＭＩＤＩ音源，Ｄ／Ａ変換器等からなり、カラオケデータの曲データ中のＭＩＤＩデータに基づいてカラオケ音楽を再生し、そのアナログ音楽信号を音声エフェクタ部２７へ出力する。
【００２０】
ＩＳＤＮインタフェイス部２５は、網終端回路，通信コントローラ等からなり、ＩＳＤＮのレイヤ１の信号処理とＤチャネルのレイヤ２の信号処理とを行なって、センタ装置３とのカラオケデータ配信時の通信処理等を行なう。
ユーザインタフェイス部２６は、キーパッド，赤外線受光器を有し、リモコン１１から受信した赤外線信号による操作情報、及びキーパッドから入力された操作情報を解析し、その操作内容をシステム制御部２０へ出力する。また、ＬＣＤ表示器を有し、ユーザへの各種のガイダンス表示を行なう。
【００２１】
音声エフェクタ部２７は、エフェクタ，アンプ等からなり、マイク１２から入力された音声信号に対してエコーやキーコントロール等の音声エフェクト処理を施し、ＭＩＤＩ再生部２４及び音声復号化部からの演奏信号と音声信号とを合成し、それを増幅した後にスピーカ１３へ出力する。
【００２２】
画像合成処理部２８は、デジタルビデオコーダ，デジタルビデオエンコーダ，フレームメモリ等からなり、Ｖ−ＣＤドライブ１５からの背景映像信号とグラフィック生成部２２からの歌詞等の画像信号（ＲＧＢ）を受け取って、それらを合成してモニタ１４へ出力する。また、複数種類のモニタの映像出力インタフェイスを有し、その各映像出力インタフェイスへのモニタの接続状態を検出し、その検出結果をシステム制御部２０へ送る。
【００２３】
すなわち、上記画像合成処理部２８が、映像表示装置を接続する映像表示装置接続手段と、その接続された映像表示装置に映像データを信号処理して出力する映像信号出力手段の機能を果たす。また、上記システム制御部２０が、上記映像表示装置接続手段に接続された映像表示装置の特性を判別する映像表示装置特性判別手段の機能を果たす。さらに、上記システム制御部２０とグラフィック生成部２２がその判別された特性に基づいて上記映像表示装置へ出力する映像データの特性を変化させる映像データ特性変化手段の機能を果たす。
【００２４】
さらに、上記システム制御部２０は、上記映像表示装置の特性を、映像表示装置のモニタ種別（表示方式種別），上記映像データの映像出力インタフェイス（伝送方式種別），映像表示装置のモニタサイズ（表示サイズ種別）によって判別する手段の機能を果たす。
【００２５】
また、上記画像合成処理部２８が、複数種類の映像表示装置をそれぞれ接続する映像出力インタフェイスと、その手段によって接続された各映像表示装置に映像データを信号処理して出力する映像信号出力手段と、上記各映像出力インタフェイスに対する映像表示装置の接続有無を検出する映像表示装置接続有無検出手段の機能を果たす。
【００２６】
さらに、上記システム制御部２０が、その映像表示装置接続有無検出手段によって接続が検出された映像出力インタフェイスの中から予め設定された優先順位に基づいてインタフェイス種別を決定するインタフェイス種別決定手段の機能を果たす。
さらにまた、上記システム制御部２０とグラフィック生成部２２が、その決定されたインタフェイス種別に基づいて上記映像データの特性を変化させる映像データ特性変化手段の機能を果たす。
【００２７】
そしてまた、上記システム制御部２０とグラフィック生成部２２は、上記映像データの特性の水平解像度値，垂直解像度値，階調値，最大色レベル値，文字情報のサイズ値，及びフレームレート値を変化させる手段の機能も果たす。
【００２８】
次に、この通信カラオケ端末装置のカラオケ音楽出力処理について説明する。
リモコン１１でリクエスト曲が指定されると、リモコン１１の操作内容はユーザインタフェイス部２６を介してシステム制御部２０に通知される。
【００２９】
システム制御部２０は、通知された操作内容から曲番号を判定し、磁気ディスク装置２１内のカラオケデータ管理テーブルを読み出す。このカラオケデータ管理テーブルには、磁気ディスク装置２１内に既に登録されているカラオケデータの曲番号，ファイル番号等の情報が登録されている。そして、カラオケデータ管理テーブル内にリクエスト曲の曲番号が登録されているか否かを照合する。
【００３０】
システム制御部２０は、カラオケデータ管理テーブル内に該当する曲番号が有れば、その曲番号に対応するファイル番号に基づいてカラオケデータ，背景映像データを再生する。
一方、該当する曲番号が無ければ、ＩＳＤＮインタフェイス部２５を制御して、センタ装置３へリクエスト曲のカラオケデータを要求するための発呼を行ない、センタ装置３から該当するカラオケデータの配信を受け、そのカラオケデータに基づくカラオケ音楽，歌詞，及び背景映像の再生を行なう。
【００３１】
そして、システム制御部２０は、上記歌詞画像の展開や歌詞色替えの処理時にグラフィック生成部２２を制御してモニタ１４の特性に応じて最適な映像データに変化させる処理を実行する。この処理の説明は後述する。
【００３２】
次に、この通信カラオケ端末装置１におけるセンタ装置３からのカラオケデータの受信手順について説明する。
図２は、この通信カラオケ端末装置１におけるセンタ装置３からのカラオケデータの受信手順を示す図である。
【００３３】
通信カラオケ端末装置１は、ステップ（図中「Ｓ」で示す）１０でセンタ装置３へ発呼し、その発呼はＩＳＤＮ通信網２を経由して、ステップ１１でセンタ装置３に着呼する。
【００３４】
センタ装置３は、ステップ１２でＩＳＤＮ通信網２に応答し、ＩＳＤＮ通信網２はその応答に基づいて、ステップ１３で通信カラオケ端末装置１へ応答確認を送る。このようにして、通信カラオケ端末装置１とセンタ装置３との回線が接続される。
【００３５】
通信カラオケ端末装置１は、応答確認をすると、ステップ１４でセンタ装置３へカラオケデータ転送開始要求のメッセージを送信する。このメッセージには、通信カラオケ端末装置１の端末番号情報，及びリクエスト曲の曲番号の情報が付与されている。
【００３６】
センタ装置３は、ステップ１５で通信カラオケ端末装置１からのメッセージを受信すると、まず、メッセージ中の端末番号情報の照合を行ない、予めセンタ装置３に登録されている端末管理データ中に該当する端末番号情報が登録されているか否かを確認する。その確認が取れたら、通信カラオケ端末装置１へのカラオケデータの送信処理に移行する。
【００３７】
センタ装置３は、ステップ１６で通信カラオケ端末装置１へメッセージ中の１番目の曲番号に該当するカラオケデータを送信する。
通信カラオケ端末装置１は、ステップ１７でセンタ装置３からカラオケデータを受信すると、ステップ１８でセンタ装置３へカラオケデータ受信確認を送信する。
【００３８】
センタ装置３は、ステップ１９で通信カラオケ端末装置１からカラオケデータ受信確認を受信すると、ステップ２０で通信カラオケ端末装置１へメッセージ中の２番目の曲番号に該当するカラオケデータを送信する。
通信カラオケ端末装置１は、ステップ２１でセンタ装置３からカラオケデータを受信すると、ステップ２２でセンタ装置３へカラオケデータ受信確認を送信する。
【００３９】
センタ装置３は、ステップ２３で通信カラオケ端末装置１からカラオケデータ受信確認を受信すると、上述と同じようにして要求されたカラオケデータを順次送信し、ステップ２４で通信カラオケ端末装置１へメッセージ中の最後（ｎ番目）の曲番号に該当するカラオケデータを送信する。
【００４０】
通信カラオケ端末装置１は、ステップ２５でセンタ装置３から要求した最後のカラオケデータを受信すると、ステップ２６でセンタ装置３へデータ転送終了要求を送信する。
センタ装置３は、ステップ２７で通信カラオケ端末装置１からデータ転送終了要求を受信すると、カラオケデータの転送を終了する。
【００４１】
その後、通信カラオケ端末装置１は、ステップ２８でＩＳＤＮ通信網２へ終了を送信し、ＩＳＤＮ通信網２はセンタ装置３へ回線切断を送信する。
センタ装置３は、ステップ２９でＩＳＤＮ通信網２からの回線の切断を受信すると、ステップ３０でＩＳＤＮ通信網２へ回線の開放を送信し、ＩＳＤＮ通信網２は通信カラオケ端末装置１へ回線の開放を送信する。
【００４２】
通信カラオケ端末装置１は、ステップ３１でＩＳＤＮ通信網２からの回線の開放を受信すると、ステップ３２でＩＳＤＮ通信網２へ回線の開放完了を送信し、ＩＳＤＮ通信網２はセンタ装置３へ回線の開放完了を送信し、センタ装置３は、ステップ３３でＩＳＤＮ通信網２からの回線の開放完了を受信する。このようにして、通信カラオケ端末装置１とセンタ装置３との回線の接続が断される。
【００４３】
次に、カラオケデータのフォーマットについて説明する。
図３は、カラオケデータのフォーマット例を示す図である。
カラオケデータは、曲番号３０と、曲名，作曲者名，及び作詞者名等の曲に係る情報からなる曲情報３１と、歌詞や歌詞を表示する際のフォントの大きさやフォント種別（例えば、明朝体，ゴシック体など）等の情報からなる歌詞データ３２を有する。
【００４４】
さらに、曲のテンポ，カラオケ音楽の演奏データであるＭＩＤＩデータ，各ＭＩＤＩデータを再生する際のタイミング情報，歌詞の色替えのタイミングを示す歌詞色替えデータや改ページのタイミングを示す改ページデータ等のタイミング情報等からなる曲データ３３と、カラオケデータの終了符号であるＥＯＦ３４を有する。
【００４５】
システム制御部２０は、センタ装置３からカラオケデータの受信を完了すると、その受信したカラオケデータをファイル化して磁気ディスク装置２１に格納すると共に、磁気ディスク装置２１に格納されているカラオケデータ管理テーブルに登録して更新する。
【００４６】
次に、この通信カラオケ端末装置におけるカラオケデータの再生手順について説明する。
システム制御部２０は、カラオケデータから歌詞データを抽出し、予め磁気ディスク装置２１内に格納されているフォントデータを読み出しながら、グラフィック生成部２２に歌詞画像を展開する。
【００４７】
また、システム制御部２０は、カラオケデータから曲データを抽出し、その曲データ中のタイミング情報に基づいて計時を行ないながら、曲データ中のＭＩＤＩデータをＭＩＤＩ再生部２４へ転送する。
【００４８】
そして、ＭＩＤＩ再生部２４によってカラオケ音楽の再生を行ないながら、曲データ中の歌詞色替えデータに基づいてグラフィック生成部２２を制御し、歌詞画像の色替えとページ替え（歌詞の内容の更新）を行なう。上記歌詞の再生処理とカラオケ音楽の再生処理は並列して行なわれる。
【００４９】
次にこの通信カラオケ端末装置における歌唱力の採点処理について説明する。
ユーザによってリモコン１１で採点機能の起動又は停止が行なわれると、リモコン１１での操作内容はユーザインタフェイス部２６を介してシステム制御部２０に通知される。
【００５０】
システム制御部２０は、通知された操作内容から採点機能の起動及び停止を判定し、採点機能が有効であるか無効であるかの状態を保持する。
システム制御部２０は、採点機能が有効な状態のとき、上述したようなユーザによるリクエスト曲の要求があると、カラオケデータの再生時に採点処理部２３による歌唱力の採点処理を起動する。
【００５１】
採点処理部２３は、上述のカラオケデータの再生処理と平行して動作し、ＭＩＤＩ再生部２４からカラオケ音楽の主旋律データを、音声エフェクタ部２７からマイク１２の入力による音声信号をＡ／Ｄ変換した音声データをそれぞれ受け取り、主旋律データと音声データに基づいて歌唱力の採点処理を行なう。
この採点処理の具体的な方法は公知技術を用いれば良いので、ここでは詳細な説明を省略する。
【００５２】
採点処理部２３は、カラオケデータの再生が完了すると、再生中に得られた採点データをシステム制御部２０へ通知する。
システム制御部２０は、採点処理部２３から得た採点データに基づいた採点結果表示データを作成し、グラフィック生成部２２を制御して、採点結果表示グラフィックを生成する。
その後の、グラフィック生成部２２で生成された採点結果表示グラフィックに基づく採点結果を画像合成処理部２８を介してモニタ１４に表示する。
【００５３】
そして、システム制御部２０は、上記採点結果の表示処理時にグラフィック生成部２２を制御してモニタ１４の特性に応じて最適な映像データに変化させる処理を実行する。この処理の説明は後述する。
【００５４】
次に、この通信カラオケ端末装置１におけるモニタ１４の特性に応じて最適な映像データに変化させる処理について説明する。
図４は、この通信カラオケ端末装置１におけるモニタ１４の特性に応じて最適な映像データに変化させる処理を示すフローチャートである。
【００５５】
まず、画像合成処理部２８は、複数種類のモニタ１４をそれぞれ接続する映像出力インタフェイスを有しているが、ここでは、コンポジットビデオとＳ映像信号（「ＥＩＡＪ規格ＣＰＲ１２０１」の書面の“テレビジョン受信機とアナログ周辺機器との相互接続”の項目を参照）と、ＲＧＢ信号（「ソニーカラーテレビカタログ９７’・夏」号のカタログを参照）の３種類の映像出力インタフェイスを持つ場合について説明する。
【００５６】
また、モニタ１４の表示方式種別（モニタ種別）について、通常のテレビ（ＴＶ），ＲＧＢモニタ（「ソニーカラーテレビカタログ９７’・夏」号のカタログを参照），プログレッシブスキャンテレビ（「日立カラーテレビカタログ９７−１１」号のカタログを参照）の３種類を用いた場合について説明する。
【００５７】
なお、ＲＧＢモニタは、ＲＧＢ信号インタフェイスを持つモニタと同義であるので、結局はインタフェイスで区分される。すなわち、インタフェイス種別（モニタの伝送方式）で分類することができる。
【００５８】
しかし、ＲＧ信号以外にもコンポジットビデオ信号やＳ映像信号のインタフェイスを併せ持つものもある（「ソニーカラーテレビカタログ９７’・夏」号のカタログを参照）ので、この実施形態の処理では、インタフェイス種別をモニタ種別の一つとして扱うものとする。
【００５９】
システム制御部２０は、ステップ（図中「Ｓ」で示す）１でグラフィック生成が起動されたか否かを判断して、グラフィック生成を伴う処理が起動されると、ステップ２へ進んで画像合成処理部２８は各映像出力インタフェイスに対する映像表示装置の接続状態（接続有無）を検出し、システム制御部２０は画像合成処理部２８から各映像出力インタフェイスに対するモニタの接続状態を読み込み、その接続状態に基づいて、接続が検出された映像出力インタフェイスの中から予め設定された優先順位に基づいてインタフェイス種別を決定する。
【００６０】
この判別処理は、複数の映像出力インタフェイスへの接続があった場合、予め設定された優先順位（プライオリティ）に基づいてインタフェイス種別を決定する。
例えば、予めコンポジットビデオ信号，Ｓ映像信号，ＲＧＢ信号の順に優先順位が定められていた場合、画像合成処理部２８にコンポジットビデオ信号，Ｓ映像信号，ＲＧＢ信号のモニタに対応する各映像出力インタフェイスに接続が確認されたとき、インタフェイス種別によるモニタ特性をコンポジットビデオ信号に決定する。
【００６１】
上記画像合成処理部２８における複数の映像出力インタフェイスの接続状態の検出処理は、例えば、コネクタの挿抜状態を検出するスイッチ（ＳＷ）機能付きのコネクタを用いて、その状態を読み込むことによって検出する。あるいは、複数の接地ピンを持つ映像出力インタフェイスを用いて、そのうちの１つを１０ＫΩ程度の抵抗に依ってプルアップし、その電位を読み込むことによって接続状態を検出するなどの従来の技術を用いると良い。
【００６２】
次に、システム制御部２０は、ステップ３へ進んで磁気ディスク装置２１から予め装置設置者によってシステムパラメタとして登録されているモニタ種別，モニタサイズ（表示サイズ種別）のモニタ特性を読み出し、ステップ４へ進んで上記システムパラメタと上記インタフェイス種別のモニタ特性に基づいて、磁気ディスク装置２１に同じく記憶されており、プログラム内に組み込まれている画像内容参照テーブルを参照して、画像内容を決定し、その画像内容に基づいて映像データの特性を変化させる。
【００６３】
ここで、上記画像内容参照テーブルの画像内容に基づいて映像データを変化させる処理について詳述する。
表１は、上記画像内容参照テーブルのフォーマットの一例を示す表である。
【００６４】
この画像内容参照テーブルの水平解像度（水平解像度値）は１水平ライン中の画素数を示す。垂直解像度（垂直解像度値）は１フレーム中のライン数を示す。
階調数（階調値）はＲＧＢ各色の階調数を示す。例えば、階調数が１６はＲＧＢの各々が４ビットで処理されることを示す。
【００６５】
最大色レベル（最大色レベル値）は各信号規格で取りうる最大信号レベルに対する信号レベルの比率を示す。フォントサイズ（文字情報のサイズ値）は文字の縦×横の画素数を示す。フレームレート（フレームレート値）は、１秒当たりのフレーム値を示す。
【００６６】
この実施形態の処理では、水平解像度，階調数，最大色レベルをモニタのインタフェイス種別のみによって決定し、垂直解像度をモニタ種別とインタフェイス種別とによって決定し、フォントサイズをモニタサイズのみによって決定する。
【００６７】
【表１】
2006079112.tif 000003
【００６８】
次に、各画像内容毎の具体的な処理内容を説明する。
（１）水平解像度
モニタのインタフェイス種別によって分類され、コンポジットビデオ信号によってインタフェイスされる場合は映像データの解像度を低く設定し、それ以外の場合には映像データの解像度を高く設定するように変化させる。
【００６９】
このように変化させるのは、コンポジットビデオ信号では、輝度成分に変調された色成分が重畳されてるために高い解像度を得ることができないことによる。
その他、モニタサイズによる分類や、さらにインタフェイス種別によって細分することも有効である。例えば、ＲＧＢを最上位として、Ｓ映像信号の場合には色成分のみの解像度を落す（色成分が変調されていて高い解像度が得られないことによる）ことも有効である。
【００７０】
（２）垂直解像度
モニタのモニタ種別とインタフェイス種別とによって分類され、モニタ種別がプログレッシブスキャンＴＶであるときとＲＧＢモニタへＲＧＢ信号でインタフェイスされる場合には映像データの垂直解像度を高く設定し、それ以外の場合には映像データの垂直解像度を低く設定する。
【００７１】
このように変化させるのは、ＴＶの走査方式が飛び越し走査である場合には、垂直解像度を高くしても表示上に再現できないばかりでなく、フリッカ（ちらつき）が発生して画像の表示品質の劣化を招くことによる。また、そのほかにモニタサイズによる分類も有効である。
【００７２】
なお、この垂直解像度の処理は、例えば、「ソニーカラーテレビカタログ９７・夏」のカタログに記載のモニタに、同カタログに記載のインタフェイス種別のＶＧＡ（パーソナルコンピュータの標準的なディスプレイインタフェイスであり、順次走査方式である）で接続した場合を想定する。また、ＲＧＢでのインタフェイス種別にはこれ以外に飛び越し走査の方式を取ることも有る（インタフェイスコネクタの形状は異なる）。
【００７３】
（３）階調数
モニタのインタフェイス種別によって分類され、ＲＧＢでインタフェイスされる場合には映像データの階調数を多く設定し、それ以外の場合には映像データの階調数を少なく設定する。
このように変化させるのは、コンポジッドビデオ信号やＳ映像信号では、色の成分が変調されているために階調数を多くしても画像の表示上に再現できないことによる。
【００７４】
（４）最大色レベル
モニタのインタフェイス種別によって分類され、コンポジットビデオ信号でインタフェイスされる場合には、映像データの最大色レベルを低く設定する。
【００７５】
このように変化させるのは、コンポジットビデオ信号では輝度成分に変調された色成分が重畳されているために、ＹＶ側でＹＣ分離（輝度と色の成分の分離）の処理が必要になり、その処理の家庭で発生するノイズ（ドット妨害、つまり、不完全な分離によって色の成分が輝度の成分に漏れてしまう現象）が強調されてしまうことによる。
【００７６】
（５）フォントサイズ
モニタのモニタサイズによって分類され、モニタサイズが大きい場合には映像データのフォントを小さいフォントに設定し、モニタサイズが小さい場合には映像データのフォントを大きいフォントに設定する。
このように変化させるのは、モニタサイズが小さい場合にも文字情報の視認性を高めるためである。
【００７７】
（６）フレームレート
このフレームレートは参考値であるが、上述のようにして水平解像度，垂直解像度，階調数によって映像データに高精細な処理を施しても、モニタやインタフェイス種別によって表示上は再現できないことがある。
そこで、解像度や階調数を落して余剰になった処理能力を用いてフレームレートを向上させることにより、システム制御部２０等に基づく装置の処理能力を無駄無く活用して、モニタに対してより最適な画像の表示を行なうことができる。
【００７８】
次に、システム制御部２０は、ステップ５へ進んで上記決定された画像内容に基づいて変化させた映像データの表示データを作成し、グラフィック生成部２２を制御してグラフィックを生成し、モニタに映像を表示して、処理を終了する。
【００７９】
なお、上述の処理では、モニタ種別をモニタのタイプで分類したが、モニタの表示特性に係る方式で分類することもできる。例えば、ブラウン管タイプによる分類やＹＣ分離方式による分類等がある。
【００８０】
この実施形態の通信カラオケ端末装置は、接続されるモニタの特性を判別し、その判別結果に基づいて映像内容（特性）を変化させるように構成しているので、モニタの特性に最適な品位の映像を表示することができる。
また、接続されるモニタ種別を判別し、その判別結果に基づいて映像内容（特性）を変化させるように構成しているので、モニタ種別に最適な品位の映像を表示することができる。
【００８１】
さらに、接続されるモニタのインタフェイス種別を判別し、その判別結果に基づいて映像内容（特性）を変化させるように構成しているので、モニタのインタフェイス種別に最適な品位の映像を表示することができる。
さらにまた、接続されるモニタのモニタサイズを判別し、その判別結果に基づいて映像内容（特性）を変化させるように構成しているので、モニタサイズに最適な品位の映像を表示することができる。
【００８２】
また、接続されるモニタの各種特性を判別し、その判別結果に基づいて映像内容（特性）の水平解像度を変化させるように構成しているので、余剰な処理能力を他の特性の向上に使用することができ、モニタに最適な水平解像度で高品位の映像を表示することができる。
【００８３】
さらに、接続されるモニタの各種特性を判別し、その判別結果に基づいて映像内容（特性）の垂直解像度を変化させるように構成しているので、余剰な処理能力を他の特性の向上に使用することができ、モニタに最適な垂直解像度で映像の品質劣化を防止することができる。
【００８４】
また、接続されるモニタの各種特性を判別し、その判別結果に基づいて映像内容（特性）の階調数を変化させるように構成しているので、余剰な処理能力を他の特性の向上に使用することができ、モニタに最適な階調数で高品位の映像を表示することができる。
【００８５】
さらに、接続されるモニタの各種特性を判別し、その判別結果に基づいて映像内容（特性）の最大色レベルを変化させるように構成しているので、余剰な処理能力を他の特性の向上に使用することができ、モニタに最適な最大色レベルで映像の品質劣化を防止することができる。
【００８６】
さらにまた、接続されるモニタの各種特性を判別し、その判別結果に基づいて映像内容（特性）のフォントサイズを変化させるように構成しているので、余剰な処理能力を他の特性の向上に使用することができ、モニタに最適なフォントサイズ（文字情報の大きさ）で高品位の映像を表示することができる。
【００８７】
そして、インタフェイスに対するモニタの接続状態に基づいてインタフェイス種別を判別し、その判別結果に基づいて自動的に最適な画像内容に変化させるので、利用者の利便性を損なうこと無く、モニタに高品位の映像を表示することができる。
【図面の簡単な説明】
【００８８】
【図１】この発明の一実施形態である映像処理装置を内蔵した通信カラオケ端末装置を用いた通信カラオケシステムの構成を示す図である。
【図２】図１に示した通信カラオケ端末装置におけるセンタ装置からのカラオケデータの受信手順を示す図である。
【図３】カラオケデータのフォーマット例を示す図である。
【図４】図１に示した通信カラオケ端末装置におけるモニタの特性に応じて最適な映像データに変化させる処理を示すフローチャートである。
【符号の説明】
【００８９】
１：通信カラオケ端末装置    ２：ＩＳＤＮ通信網    ３：センタ装置    １０：コマンダ    １１：リモコン    １２：マイク    １３：スピーカ    １４：モニタ    １５：Ｖ−ＣＤドライブ    ２０：システム制御部    ２１：磁気ディスク装置    ２２：グラフィック生成部    ２３：採点処理部    ２４：ＭＩＤＩ再生部    ２５：ＩＳＤＮインタフェイス部    ２６：ユーザインタフェイス部    ２７：音声エフェクタ部    ２８：画像合成処理部    ３０：曲番号    ３１：曲情報    ３２：歌詞データ    ３３：曲データ    ３４：ＥＯＦ
【図１】
2006079112.tif 000004
【図２】
2006079112.tif 000005
【図３】
2006079112.tif 000006
【図４】
2006079112.tif 000007
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
通信網を介してデータ通信可能に接続されているセンタ装置と端末装置とからなるシステムにおいて、
前記端末装置は、前記通信網を介して前記センタ装置へカラオケデータ転送開始要求である自装置の端末番号情報とカラオケの曲番号を含むメッセージを送り、前記センタ装置からカラオケデータを受信すると受信確認を送信する処理を繰り返し、前記センタ装置から前記カラオケデータ転送要求による最後のカラオケデータを受信すると、データ転送終了要求を送信する手段を有し、
前記センタ装置は、カラオケの曲番号と曲データを含むカラオケデータを蓄積し、前記端末装置の端末番号情報を登録した端末管理データを記憶し、前記通信網を介して受信したメッセージ中の端末番号情報が前記端末管理データに登録されているか否かを確認し、登録されていると確認したら、前記蓄積されたカラオケデータから前記メッセージ中の曲番号に該当するカラオケデータを前記端末装置へ送信し、前記端末装置から受信確認を受信すると前記メッセージ中の次の曲番号に該当するカラオケデータを前記端末装置へ送信する処理を繰り返し、前記端末装置からデータ転送終了要求を受信すると前記端末装置へのカラオケデータの転送を終了する手段を有することを特徴とするシステム。
【請求項２】
通信網を介して端末装置とデータ通信可能に接続されているセンタ装置において、
カラオケの曲番号と曲データを含むカラオケデータを蓄積し、前記端末装置の端末番号情報を登録した端末管理データを記憶し、前記通信網を介して受信したメッセージ中の端末番号情報が前記端末管理データに登録されているか否かを確認し、登録されていると確認したら、前記蓄積されたカラオケデータから前記メッセージ中の曲番号に該当するカラオケデータを前記端末装置へ送信し、前記端末装置から受信確認を受信すると前記メッセージ中の次の曲番号に該当するカラオケデータを前記端末装置へ送信する処理を繰り返し、前記端末装置からデータ転送終了要求を受信すると前記端末装置へのカラオケデータの転送を終了する手段を有することを特徴とするセンタ装置。
【請求項３】
通信網を介してセンタ装置とデータ通信可能に接続されている端末装置において、
前記通信網を介して前記センタ装置へカラオケデータ転送開始要求である自装置の端末番号情報とカラオケの曲番号を含むメッセージを送り、前記センタ装置からカラオケデータを受信すると受信確認を送信する処理を繰り返し、前記センタ装置から前記カラオケデータ転送要求による最後のカラオケデータを受信すると、データ転送終了要求を送信する手段を有することを特徴とする端末装置。
【請求項４】
通信網を介してデータ通信可能に接続されているセンタ装置と端末装置との間のデータ転送方法であって、
前記端末装置は、前記通信網を介して前記センタ装置へカラオケデータ転送開始要求である自装置の端末番号情報とカラオケの曲番号を含むメッセージを送り、前記センタ装置からカラオケデータを受信すると受信確認を送信する処理を繰り返し、前記センタ装置から前記カラオケデータ転送要求による最後のカラオケデータを受信すると、データ転送終了要求を送信し、
前記センタ装置は、カラオケの曲番号と曲データを含むカラオケデータを蓄積し、前記端末装置の端末番号情報を登録した端末管理データを記憶し、前記通信網を介して受信したメッセージ中の端末番号情報が前記端末管理データに登録されているか否かを確認し、登録されていると確認したら、前記蓄積されたカラオケデータから前記メッセージ中の曲番号に該当するカラオケデータを前記端末装置へ送信し、前記端末装置から受信確認を受信すると前記メッセージ中の次の曲番号に該当するカラオケデータを前記端末装置へ送信する処理を繰り返し、前記端末装置からデータ転送終了要求を受信すると前記端末装置へのカラオケデータの転送を終了することを特徴とするデータ転送方法。
【手続補正３】
【補正対象書類名】明細書
【補正対象項目名】０００１
【補正方法】変更
【補正の内容】
【０００１】
この発明は、システム、センタ装置、端末装置、データ転送方法に関する。
【手続補正４】
【補正対象書類名】明細書
【補正対象項目名】０００５
【補正方法】変更
【補正の内容】
【０００５】
この発明は上記の点に鑑みてなされたものであり、データ転送の特性を向上させることを目的とする。
【手続補正５】
【補正対象書類名】明細書
【補正対象項目名】０００６
【補正方法】変更
【補正の内容】
【０００６】
この発明は上記の目的を達成するため、通信網を介してデータ通信可能に接続されているセンタ装置と端末装置とからなるシステムにおいて、上記端末装置は、上記通信網を介して上記センタ装置へカラオケデータ転送開始要求である自装置の端末番号情報とカラオケの曲番号を含むメッセージを送り、上記センタ装置からカラオケデータを受信すると受信確認を送信する処理を繰り返し、上記センタ装置から上記カラオケデータ転送要求による最後のカラオケデータを受信すると、データ転送終了要求を送信する手段を有し、上記センタ装置は、カラオケの曲番号と曲データを含むカラオケデータを蓄積し、上記端末装置の端末番号情報を登録した端末管理データを記憶し、上記通信網を介して受信したメッセージ中の端末番号情報が上記端末管理データに登録されているか否かを確認し、登録されていると確認したら、上記蓄積されたカラオケデータから上記メッセージ中の曲番号に該当するカラオケデータを上記端末装置へ送信し、上記端末装置から受信確認を受信すると上記メッセージ中の次の曲番号に該当するカラオケデータを上記端末装置へ送信する処理を繰り返し、上記端末装置からデータ転送終了要求を受信すると上記端末装置へのカラオケデータの転送を終了する手段を有するものである。
【手続補正６】
【補正対象書類名】明細書
【補正対象項目名】０００７
【補正方法】変更
【補正の内容】
【０００７】
また、通信網を介して端末装置とデータ通信可能に接続されているセンタ装置において、カラオケの曲番号と曲データを含むカラオケデータを蓄積し、上記端末装置の端末番号情報を登録した端末管理データを記憶し、上記通信網を介して受信したメッセージ中の端末番号情報が上記端末管理データに登録されているか否かを確認し、登録されていると確認したら、上記蓄積されたカラオケデータから上記メッセージ中の曲番号に該当するカラオケデータを上記端末装置へ送信し、上記端末装置から受信確認を受信すると上記メッセージ中の次の曲番号に該当するカラオケデータを上記端末装置へ送信する処理を繰り返し、上記端末装置からデータ転送終了要求を受信すると上記端末装置へのカラオケデータの転送を終了する手段を有するものを提供する。
【手続補正７】
【補正対象書類名】明細書
【補正対象項目名】０００８
【補正方法】変更
【補正の内容】
【０００８】
さらに、通信網を介してセンタ装置とデータ通信可能に接続されている端末装置において、上記通信網を介して上記センタ装置へカラオケデータ転送開始要求である自装置の端末番号情報とカラオケの曲番号を含むメッセージを送り、上記センタ装置からカラオケデータを受信すると受信確認を送信する処理を繰り返し、上記センタ装置から上記カラオケデータ転送要求による最後のカラオケデータを受信すると、データ転送終了要求を送信する手段を有するものを提供する。
【手続補正８】
【補正対象書類名】明細書
【補正対象項目名】０００９
【補正方法】変更
【補正の内容】
【０００９】
さらにまた、通信網を介してデータ通信可能に接続されているセンタ装置と端末装置との間のデータ転送方法であって、上記端末装置は、上記通信網を介して上記センタ装置へカラオケデータ転送開始要求である自装置の端末番号情報とカラオケの曲番号を含むメッセージを送り、上記センタ装置からカラオケデータを受信すると受信確認を送信する処理を繰り返し、上記センタ装置から上記カラオケデータ転送要求による最後のカラオケデータを受信すると、データ転送終了要求を送信し、上記センタ装置は、カラオケの曲番号と曲データを含むカラオケデータを蓄積し、上記端末装置の端末番号情報を登録した端末管理データを記憶し、上記通信網を介して受信したメッセージ中の端末番号情報が上記端末管理データに登録されているか否かを確認し、登録されていると確認したら、上記蓄積されたカラオケデータから上記メッセージ中の曲番号に該当するカラオケデータを上記端末装置へ送信し、上記端末装置から受信確認を受信すると上記メッセージ中の次の曲番号に該当するカラオケデータを上記端末装置へ送信する処理を繰り返し、上記端末装置からデータ転送終了要求を受信すると上記端末装置へのカラオケデータの転送を終了するデータ転送方法も提供する。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
この発明によるシステム、センタ装置、端末装置、データ転送方法は、データ転送の特性を向上させることができる。
【手続補正１１】
【補正対象書類名】明細書
【補正対象項目名】００１２
【補正方法】変更
【補正の内容】
【００１２】
以下、この発明を実施するための最良の形態を図面に基づいて具体的に説明する。
図１は、この発明の一実施形態である通信カラオケ端末装置とセンタ装置を用いた通信カラオケシステムの構成を示す図である。
【手続補正１２】
【補正対象書類名】明細書
【補正対象項目名】００８８
【補正方法】変更
【補正の内容】
【００８８】
【図１】この発明の一実施形態である通信カラオケ端末装置とセンタ装置を用いた通信カラオケシステムの構成を示す図である。
【図２】図１に示した通信カラオケ端末装置におけるセンタ装置からのカラオケデータの受信手順を示す図である。
【図３】カラオケデータのフォーマット例を示す図である。
【図４】図１に示した通信カラオケ端末装置におけるモニタの特性に応じて最適な映像データに変化させる処理を示すフローチャートである。